(57)【要約】【課題】回転刃の刃こぼれを防止するようにした回転刃を提供する。【解決手段】回転刃本体部２ａの外周に設けられる刃２ｂ・・・の一部に刃２ｂ・・・の外方に突出するように凸部２ｄ・・・を設けた。【選択図】図１
2006051045.tif 000002
【特許請求の範囲】
【請求項１】
回転刃本体部の外周に設けられる刃の一部に前記刃の外方に突出するように凸部を設けた、回転刃。
【請求項２】
前記凸部を曲げ加工した、請求項１に記載の回転刃。
【請求項３】
請求項１又は請求項２に記載の回転刃を備える、刈払機。
【発明の詳細な説明】
【技術分野】
【０００１】
本発明は、回転刃の刃こぼれを防止するようにした回転刃、及び、回転刃の刃こぼれを防止するようにした回転刃を備える刈払機に関する。
【背景技術】
【０００２】
雑草等の草刈には、例えば、刈払機が使用されている。
【０００３】
図８は、そのような刈払機の一例を模式的に示す一部切欠斜視図である。
【０００４】
従来の刈払機１０１は、回転刃１０２と、回転刃取付具１０３ａを有するシャフト１０３と、シャフト１０３の途中に設けられたハンドル１０４と、エンジン等の回転刃を回転させるための駆動源１０５とを備える。
【０００５】
尚、図８中、１０６で示す部材は、駆動源１０５の駆動・停止を行うスイッチを示している。
【０００６】
刈払機１０１を用いて雑草等を刈る際には、まず、回転刃取付具１０３ａに回転刃１０２を取り付ける。
【０００７】
その後、作業者は、ハンドル１０４を持ち、スイッチ１０６をオンにして、駆動源１０５を駆動させ、回転刃取付具１０３ａに取り付けた回転刃１０２を回転させ、雑草を刈る。
【０００８】
雑草の刈り取り作業が終了すれば、作業者は、スイッチ１０６をオフにする。
【非特許文献１】マキタ総合カタログ  ２００２−１、カタログＮｏ．Ｚ１１５５Ａ１、第１２４頁  ＭＥＭ２０１
【発明の開示】
【発明が解決しようとする課題】
【０００９】
しかしながら、従来の刈払機１０１の回転刃１０２は、図９（ａ）に示すように、回転刃本体１０２ａの外周に複数の刃１０２ｂ・・・が設けられ、刃１０２ｂ・・・の各々には、切削用のチップ１０２ｃ・・・が設けられた構造になっている。
【００１０】
このため、図９（ｂ）に示すように、例えば、雑草等の草刈作業中に、回転刃１０２が石Ｓｔ等にあたると、刃こぼれ（チップ１０２ｃの欠損）を生じることがあった。
【００１１】
尚、図９（ａ）中、ｈ１は、回転刃取付具１０３ａに回転刃１０２を回転可能に取り付ける際に用いる固定穴を示しており、ｈ２、ｈ２は、回転刃１０２の軽量化のための軽量化用切抜き部を示している。
【課題を解決するための手段】
【００１２】
本発明は、以上のような問題を解決するためになされたものであって、回転刃の刃こぼれを防止するようにした回転刃、及び、回転刃の刃こぼれを防止するようにした回転刃を備える刈払機を提供することを目的とする。
【００１３】
請求項１に記載の回転刃は、回転刃本体部の外周に設けられる刃の一部に前記刃の外方に突出するように凸部を設けた。
【００１４】
請求項２に記載の回転刃は、請求項１に記載の回転刃の、凸部を曲げ加工した
請求項３に記載の刈払機は、請求項１又は請求項２に記載の回転刃を備える。
【発明の効果】
【００１５】
請求項１に記載の回転刃は、回転刃本体部の外周に設けられる刃の一部に刃の外方に突出するように凸部を備えるので、回転刃の使用中に、回転刃が、硬いものにあたっても、凸部が硬いものにあたり、刃を保護するので、回転刃の刃こぼれが生じない。
【００１６】
請求項２に記載の回転刃は、凸部に曲げ加工を施しているので、回転刃の使用中に、回転刃本体に設けられているチップに、石その他の硬いものが当たるのを防ぐことができる。
【００１７】
この結果、この回転刃は、使用の耐久性に優れている。
【００１８】
請求項３に記載の刈払機は、請求項１又は請求項２に記載の回転刃を備えるので、回転刃の刃こぼれが生じ難い。この結果、この刈払機は、使用の耐久性に優れている。
【発明を実施するための最良の形態】
【００１９】
以下、本発明に係る回転刃及び刈払機について、図面を参照しながら更に詳しく説明する。
【実施例１】
【００２０】
図１（ａ）は、本発明に係る回転刃の一例を概略的に示す平面図であり、図１（ｂ）は、図１（ａ）に示す回転刃の効果を模式的に説明する説明図である。
【００２１】
この回転刃２は、図１（ａ）に示すように、回転刃本体２ａの外周に複数の刃２ｂ・・・が設けられ、刃２ｂ・・・の各々には、切削用のチップ２ｃ・・・が設けられた構造になっている。
【００２２】
尚、図１（ａ）中、ｈ１は、回転刃取付具（図８に示す回転取付具１０３ａ）に回転刃２を回転可能に取り付ける際に用いる固定穴を示しており、ｈ２、ｈ２は、回転刃２の軽量化のための軽量化用切抜き部を示している。
【００２３】
この回転刃２の以上の構成は、図９（ａ）に示す従来の回転刃１０２と同様であるが、この回転刃２は、以下の構成を更に備える点で、従来の回転刃１０２と異なっている。
【００２４】
即ち、この回転刃２は、回転刃本体部２ａの外周に設けられる刃２ｂ・・・の一部に刃２ｂ・・・の外方に突出するように凸部２ｄ・・・が設けられている点で、従来の回転刃１０２と異なっている。
【００２５】
凸部２ｄ・・・は、通常、複数個設けている。
【００２６】
尚、この例では、凸部２ｄ・・・を、４個設けている例を示しているが、これは、単に例示であって、凸部２ｄ・・・の数は、４個に限定されることはない。
【００２７】
また、凸部２ｄ・・・を複数個設ける場合にあっては、凸部２ｄ・・・は、回転刃本体部２ａの外周に均等間隔を隔てるように設けるのが好ましい。
【００２８】
また、凸部２ｄ・・・の各々の先端は、刃２ｂ・・・の各々の先端に対し、例えば、２ｍｍ以上５ｍｍ以下の範囲内で、刃２ｂ・・・の各々の外方に突出するように設けるのが好ましい。
【００２９】
これは、凸部２ｄ・・・の各々の先端を、刃２ｂ・・・の各々の先端に対し、例えば、５ｍｍを超える範囲で、刃２ｂ・・・の各々の外方に突出するように設けると、回転刃２の草を刈る機能が劣るので好ましくなく、例えば、２ｍｍを未満の範囲で、刃２ｂ・・・の各々の外方に突出するように設けると、石等に回転刃２が当たった場合、刃こぼれ（チップ２ｃの欠損）を生じ易くなったり、回転刃２の使用により、凸部２ｄ・・・のちびにより、凸部２ｄ・・・の、刃２ｂ・・・（チップ２ｃ・・・）の保護機能が失われ易いためである。
【００３０】
刈払機を用いて雑草等を刈る際には、まず、例えば、図８に示す刈払機１０１を用いる場合を例にして説明すると、回転刃取付具１０３ａに回転刃２を取り付ける。
【００３１】
その後、作業者は、ハンドル１０４を持ち、スイッチ１０６をオンにして、駆動源１０５を駆動させ、回転刃取付具１０３ａに取り付けた従来の回転刃２を回転させ、雑草を刈る。
【００３２】
雑草の刈り取り作業が終了すれば、作業者は、スイッチ１０６をオフにする。
【００３３】
回転刃２を使用した場合、この回転刃２は、図１（ｂ）に示すように、回転刃本体２ａの外周に複数の刃２ｂ・・・が設けられ、刃２ｂ・・・の各々には、切削用のチップ２ｃ・・・が設けられ、且つ、刃２ｂ・・・の一部に凸部２ｄ・・・が設けられた構造になっている。
【００３４】
このため、図１（ｂ）に示すように、例えば、雑草等の草刈作業中に、回転刃２が石Ｓｔ等にあたった場合であっても、石Ｓｔ等には、凸部２ｄ・・・が当たり、刃２ｂ・・・（チップ２ｃ・・・）の各々が石Ｓｔ等に当たることが防止されるので、回転刃２の刃こぼれ（チップ２ｃの欠損）が生じることが防止される。
【００３５】
一方、雑草等は、凸部２ｄ・・・の存在にかかわらず、これらは、靭性があるので、刃２ｂ・・・（チップ２ｃ・・・）の各々によって切られることになる。
【００３６】
以上の説明により、明らかなように、この回転刃２は、回転刃本体部２ａの外周に設けられる刃２ｂ・・・の一部に刃２ｂ・・・の外方に突出するように凸部２ｄ・・・を備えるので、回転刃２の使用中に、回転刃２が、硬いものにあたっても、凸部２ｄ・・・が硬いものにあたり、刃２ａを保護するので、回転刃２の刃こぼれ（チップ２ｃの欠損）が生じない。
【００３７】
この結果、この回転刃は、使用の耐久性に優れている。
【実施例２】
【００３８】
図２は、本発明に係る他の実施例としての回転刃の一例を示す図であり、図２（ａ）は、その回転刃の概略的な平面図であり、図２（ｂ）は、図２（ａ）中、Ａ−Ａ線に従う断面図である。
【００３９】
この回転刃１２は、以下の構成を除けば、図１に示す回転刃２と同様であるので、回転刃１２の構成部材中、回転刃２の構成部材に相当する部材には、相当する参照符号を付し、その説明を省略する。
【００４０】
この回転刃１２では、凸部２ｄ・・・の各々を、図２（ｂ）に示すように、その厚さを厚くしている。
【００４１】
この回転刃１２では、凸部２ｄ・・・の各々を、図２（ｂ）に示すように、その厚さを厚くしているので、回転刃１２の使用をしても、凸部２ｄ・・・の各々のちびが生じ難い。
【００４２】
尚、この回転刃１２の使用方法は、図１に示す回転刃２の使用方法と同様であるので、ここでの説明は、省略する。
【実施例３】
【００４３】
図３は、本発明に係る他の実施例としての回転刃の一例を示す図であり、図３（ａ）は、その回転刃の概略的な平面図であり、図３（ｂ）は、図３（ａ）に示す回転刃の効果を模式的に示す図である。
【００４４】
この回転刃２２は、保護板５と、従来の回転刃１０２とを備える。
【００４５】
保護板５は、従来の回転刃１０２に重ねて固定するようにして使用するものである。
【００４６】
保護板５は、その外周に凸部５ｄ・・・を有する。
【００４７】
この凸部５ｄ・・・の各々は、保護板５を従来の回転刃１０２に重ねて固定した場合、従来の回転刃１０２の外周に設けられている刃１０２ｂの外方に突出するようにされている。
【００４８】
凸部５ｄ・・・は、通常、複数個設けている。
【００４９】
尚、この例では、凸部５ｄ・・・を、４個設けている例を示しているが、これは、単に例示であって、凸部５ｄ・・・の数は、４個に限定されることはない。
【００５０】
また、凸部５ｄ・・・を複数個設ける場合にあっては、凸部５ｄ・・・は、保護板本体５ａの外周に均等間隔を隔てるように設けるのが好ましい。
【００５１】
また、凸部５ｄ・・・の各々の先端は、従来の回転刃１０２に重ね合わせた場合、従来の回転刃１０２の刃１０２ｂ・・・の各々の先端に対し、例えば、２ｍｍ以上５ｍｍ以下の範囲内で、刃１０２ｂ・・・の各々の外方に突出するように設けるのが好ましい。
【００５２】
これは、凸部５ｄ・・・の各々の先端を、刃１０２ｂ・・・の各々の先端に対し、例えば、５ｍｍを超える範囲で、刃５ｂ・・・の各々の外方に突出するように設けると、従来の回転刃１０２の草を刈る機能が劣るので好ましくなく、例えば、２ｍｍを未満の範囲で、刃５ｂ・・・の各々の外方に突出するように設けると、石等に従来の回転刃１０２が当たった場合、刃こぼれ（チップ１０２ｃの欠損）を生じ易くなったり、従来の回転刃１０２の使用により、凸部５ｄ・・・のちびにより、凸部５ｄ・・・の、刃１０２ｂ・・・（チップ１０２ｃ・・・）の保護機能が失われ易いためである。
【００５３】
刈払機を用いて雑草等を刈る際には、まず、例えば、図８に示す刈払機１０１を用いる場合を例にして説明すると、回転刃取付具１０３ａに従来の回転刃１０２を取り付ける。次に、保護板５を取り付ける。
【００５４】
尚、この保護板５は、従来の回転刃１０２の押さえ固定部材としての機能を有するので、従来の回転刃１０２のみを回転刃取付具１０３ａに取り付ける際に用いていた押さえ固定部材は、不要となる。
【００５５】
その後、作業者は、ハンドル１０４を持ち、スイッチ１０６をオンにして、駆動源１０５を駆動させ、回転刃取付具１０３ａに取り付けた回転刃２２（従来の回転刃１０２と保護板５）を回転させ、雑草を刈る。
【００５６】
雑草の刈り取り作業が終了すれば、作業者は、スイッチ１０６をオフにする。
【００５７】
回転刃２２（従来の回転刃１０２と保護板５）を使用した場合、この回転刃２２（従来の回転刃１０２と保護板５）は、図３（ｂ）に示すように、従来の回転刃１０２と保護板５とを重ね合わせた場合、回転刃本体１０２ａの外周に複数の刃１０２ｂ・・・の各々外方に保護板５の凸部５ｄ・・・が設けられた構造になっている。
【００５８】
このため、図２（ｂ）に示すように、例えば、雑草等の草刈作業中に、回転刃２２（従来の回転刃１０２と保護板５）が石Ｓｔ等にあたった場合であっても、石Ｓｔ等には、保護板５の凸部５ｄ・・・が当たり、従来の回転刃１０２の刃１０２ｂ・・・（チップ１０２ｃ・・・）の各々が石Ｓｔ等に当たることが防止されるので、従来の回転刃１０２の刃こぼれ（チップ１０２ｃの欠損）が生じることが防止される。
【００５９】
一方、雑草等は、保護板５の凸部５ｄ・・・の存在にかかわらず、これらは、靭性があるので、従来の回転刃１０２の刃１０２ｂ・・・（チップ１０２ｃ・・・）の各々によって切られることになる。
【００６０】
以上の説明により、明らかなように、保護板５を、回転刃（従来の回転刃１０２）と組み合わせて使用すると、その外周に、回転刃（従来の回転刃１０２）の外周に設けられている刃１０２ｂ・・・の外方に突出するように凸部５ｄ・・・を備えるので、保護板５及び回転刃（従来の回転刃１０２）が、硬いものにあたっても、保護板５の凸部５ｄ・・・が硬いものにあたる結果、回転刃（従来の回転刃１０２）の刃１０２ｂ・・・を保護するので、回転刃（従来の回転刃１０２）の刃こぼれが生じない。
【００６１】
この結果、この保護板５を用いれば、回転刃（従来の回転刃１０２）を、長く使用することが出来る。即ち、この保護板５を用いれば、回転刃（従来の回転刃１０２）の使用の耐久性を向上させることができる。
【００６２】
また、この保護板５を用いれば、従来の回転刃１０２をそのまま使用できるという効果がある。
【実施例４】
【００６３】
図４は、本発明に係る他の実施例としての回転刃の一例を示す図であり、図４（ａ）は、その回転刃の概略的な平面図であり、図４（ｂ）は、図４（ａ）中、Ａ−Ａ線に従う断面図であって、使用の状態を示すため、上下逆転して表示してある。
【００６４】
この回転刃３２は、以下の構成を除けば、図３に示す回転刃２２と同様であるので、回転刃３２の構成部材中、回転刃２２の構成部材に相当する部材には、相当する参照符号を付し、その説明を省略する。
【００６５】
この回転刃３２では、保護板１５の凸部５ｄ・・・の各々を、図４（ｂ）に示すように、その厚さを厚くしている。
【００６６】
この回転刃３２では、保護板１５の凸部５ｄ・・・の各々を、図４（ｂ）に示すように、その厚さを厚くしているので、回転刃３２の使用をしても、保護板１５の凸部５ｄ・・・の各々のちびが生じ難い。
【００６７】
尚、この回転刃３２の使用方法は、図３に示す回転刃２２の使用方法と同様であるので、ここでの説明は、省略する。
【００６８】
また、実施例３及び実施例４において説明したように、従来の回転刃１０２と保護板５又は保護板１５とを組み合わせたものを、新たな回転刃２２又は３２と考えれば、この新たな回転刃２２又は３２は、保護板５又は保護板１５を備えるので、従来の回転刃１０２の刃こぼれが生じがたい。即ち、この回転刃２２又は３２は使用の耐久性に優れている。
【００６９】
尚、上記した実施例１〜実施例４では、図８に示す刈払機１０１に、回転刃２、回転刃１２、回転刃２２又は回転刃３２を取り付けた例を示したが、これは、単に、本発明にかかる回転刃、保護板を説明するためにのみ用いたものであって、本発明にかかる回転刃、保護板は、図８に示すような刈払機１０１用の回転刃、保護板に限定されることはない。
【００７０】
実施例５、実施例６及び実施例７のような回転刃も本願発明に含まれる。
【実施例５】
【００７１】
図５〜図７の各々に示す回転刃は、本発明に係る回転刃の他の例の要部を概略的に説明する図である。
【００７２】
図５〜図７に示す回転刃４２、５２及び６２の各々は、いずれも凸部を曲げ加工している。
【００７３】
より詳しく説明すると、図５に示す回転刃４２では、凸部４２ｄを回転刃本体部２ａの一方の面Ｓａから概ね縦方向に突出させ、これと連続するようにするように、回転刃本体部２ａの他方の面Ｓｂから回転刃本体２ａの一方の面Ｓａから概ね縦方向に突出させた部分ｐ１と逆方向に概ね縦方向に突出するように曲げ加工している（部分ｐ２を参照。）ので、石その他の硬いものが、回転刃本体２ａの両面Ｓａ、Ｓｂのいずれかに接近しても、凸部４２ｄの回転刃本体部２ａの一方の面Ｓａから概ね縦方向に突出し、これと連続するように他方の面Ｓｂに突出するように曲げ加工されている部分ｐ１、ｐ２に、石その他の硬いものが当たる結果、回転刃４２の使用中に、回転刃本体部２ａに設けられているチップ２ｃに、石その他の硬いものが当たるのを防ぐことができる。
【００７４】
この結果、この回転刃４２は、使用の耐久性に優れている。
【００７５】
また、図６に示す回転刃５２は、凸部５２ｄの回転刃本体部２ａの一方の面Ｓａから概ね縦方向に突出させた部分ｐ１の幅ｗｐ１を、回転刃本体２ａの一方の面Ｓａから概ね縦方向に突出させた部分ｐ１と逆方向に概ね縦方向に突出させた部分ｐ２の幅ｗｐ２より短くしているので、例えば、地面に対し、回転刃本体部２ａを平行又は概ね平行になるようにして使用する場合、石その他の硬いものが当たる確率の高い、地面に近接する側に、回転刃５２に設けられている凸部５２ｄの幅の広い部分ｐ２が位置するようにして使用することで、使用の耐久性を更に優れたものにすることができる。
【００７６】
また、図７に示す回転刃６２は、凸部６２を一方側に曲げ加工している。
【００７７】
この回転刃６２は、例えば、地面に対し、回転刃本体部２ａを平行又は概ね平行になるようにして使用する場合、石その他の硬いものが当たる確率の高い、地面に近接する側に、回転刃６２に設けられている凸部６２ｄが位置するようにして使用することで、使用の耐久性を更に優れたものにすることができる。
【００７８】
実施例１〜実施例５において説明したように、回転刃２、１２、２２、３２、４２、５２及び６２を取り付けた刈払機は、回転刃２、１２、２２、３２、４２、５２及び６２の刃こぼれが生じ難い。この結果、この刈払機は、使用の耐久性に優れている。
【００７９】
また、実施例５において説明した回転刃４２、５２、６２の各々は、凸部４２ｄ、５２ｄ、６２ｄを曲げ加工しているので、使用の耐久性に優れた回転刃を安価に製造できる、というメリットがある。
【００８０】
また、保護板１５の凸部５ｄを保護板１５の一方の面から概ね縦方向に突出するように曲げ加工（例えば、図７に示す凸部６２ｄと同様の形状に曲げ加工）すれば、凸部の保護板の一方の面から概ね縦方向に突出している部分に、石その他の硬いものが当たる結果、回転刃の使用中に、回転刃本体に設けられているチップに、石その他の硬いものが当たるのを防ぐことができる。
【００８１】
この結果、この保護板を回転刃と組み合わせて使用すれば、回転刃の使用の耐久性を向上させることができる。
【００８２】
また、この保護板は、凸部５ｄを保護板１５の一方の面から概ね縦方向に突出するように曲げ加工（例えば、図７に示す凸部６２ｄと同様の形状に曲げ加工）するようにしているので、従来の回転刃と組み合わせて使用するようにすれば、従来の回転刃の耐久性を向上させることができる。
【００８３】
本発明にかかる回転刃は、例えば、車輌の底面に回転可能に取り付け、そのような車輌を芝刈り機等として使用するようにしてもよい。
【産業上の利用可能性】
【００８４】
本発明に係る回転刃は、刃こぼれが防止されるので、回転刃の使用耐久性が向上する。
【００８５】
また、本発明に係る刈払機は、本発明に係る回転刃を備えるので、使用に際し、回転刃の刃こぼれが生じ難い。この結果、この刈払機は、使用の耐久性に優れている。
【００８６】
本発明に係る、回転刃、及び、刈払機は、雑草等の草刈りに好適に用いることができる。
【図面の簡単な説明】
【００８７】
【図１】本発明に係る回転刃の一例を概略的に示す平面図であり、図１（ｂ）は、図１（ａ）に示す回転刃の効果を模式的に説明する説明図である。
【図２】本発明に係る他の実施例としての回転刃の一例を示す図であり、図２（ａ）は、その回転刃の概略的な平面図であり、図２（ｂ）は、図２（ａ）中、Ａ−Ａ線に従う断面図である。
【図３】本発明に係る他の実施例としての回転刃の一例を示す図であり、図３（ａ）は、その回転刃の概略的な平面図であり、図３（ｂ）は、図３（ａ）に示す回転刃の効果を模式的に示す図である。
【図４】本発明に係る他の実施例としての回転刃の一例を示す図であり、図４（ａ）は、その回転刃の概略的な平面図であり、図４（ｂ）は、図４（ａ）中、Ａ−Ａ線に従う断面図でＡ−Ａ線に従う断面図であって、使用の状態を示すため、上下逆転して表示してある。
【図５】本発明に係る他の実施例としての回転刃の一例を示す図であり、図５（ａ）は、その回転刃の凸部を中心にして概略的に示す平面図であり、図５（ｂ）は、図５（ａ）の概略的な側面図であって、また、図５（ｃ）は、図５（ａ）の概略的な斜視図である。
【図６】本発明に係る他の実施例としての回転刃の一例を示す図であり、図６（ａ）は、その回転刃の凸部を中心にして概略的に示す平面図であり、図６（ｂ）は、図６（ａ）の概略的な側面図であって、また、図６（ｃ）は、図６（ａ）の概略的な斜視図である。
【図７】本発明に係る他の実施例としての回転刃の一例を示す図であり、図７（ａ）は、その回転刃の凸部を中心にして概略的に示す平面図であり、図７（ｂ）は、図７（ａ）の概略的な側面図であって、また、図７（ｃ）は、図７（ａ）の概略的な斜視図である。
【図８】従来の刈払機の一例を模式的に示す一部切欠斜視図である。
【図９】従来の回転刃の一例を示す図であり、図９（ａ）は、その回転刃の概略的な平面図であり、図９（ｂ）は、図９（ａ）に示す回転刃の問題を模式的に示す図である。
【符号の説明】
【００８８】
２、２２、３２、４２、５２、６２  回転刃
２ａ  回転刃本体
２ｂ  刃
２ｃ  チップ
２ｄ、４２ｄ、５２ｄ、６２ｄ、５ｄ  凸部
５  保護板
【図１】
2006051045.tif 000003
【図２】
2006051045.tif 000004
【図３】
2006051045.tif 000005
【図４】
2006051045.tif 000006
【図５】
2006051045.tif 000007
【図６】
2006051045.tif 000008
【図７】
2006051045.tif 000009
【図８】
2006051045.tif 000010
【図９】
2006051045.tif 000011